【事件の表示】
　特願２００８−３２６３１１「入力装置および入力装置の制御方法」拒絶査定不服審判事件〔平成２２年　７月　１日出願公開、特開２０１０−１４６５１３〕について、次のとおり審決する。
【結　論】
　本件審判の請求は、成り立たない。
【理　由】
第１．手続の経緯
　本願は、平成２０年１２月２２日の出願であって、平成２２年５月６日付けで拒絶理由を通知したところ、同年７月１２日付けで意見書及び手続補正書が提出された。
　これに対し、同年１０月１８日付けで拒絶査定を行ったところ、これを不服として平成２３年１月２６日に審判請求がなされるとともに同日付けで手続補正書の提出がなされたものである。
　
第２．補正却下の決定
［補正却下の決定の結論］
　　平成２３年１月２６日付けの手続補正を却下する。
　
［理由］
１．補正後の本願発明
　平成２３年１月２６日付け手続補正（以下、「本件補正」という。）は補正前の特許請求の範囲の請求項２に記載された発明の
「押圧による入力を受け付ける入力部と、
　前記入力部に対する押圧荷重を検出する荷重検出部と、
　前記入力部を振動させる振動部と、
　前記荷重検出部により検出される押圧荷重が、前記入力部への入力を受け付ける所定の基準を満たした際に、前記入力部を押圧している押圧物に対して触感を呈示するように前記振動部を１つの駆動信号で振動させ、前記入力部への入力を受け付けた後、前記荷重検出部により検出される押圧荷重が前記基準を満たした際に、前記押圧物に対して前記触感とは異なる触感を呈示するように前記振動部を前記１つの駆動信号とは異なる１つの駆動信号で振動させる制御部と、
　を備えることを特徴とする入力装置。」
を、
「押圧による入力を受け付ける入力部と、
　前記入力部に対する押圧荷重を検出する荷重検出部と、
　前記入力部を振動させる振動部と、
　前記荷重検出部により検出される押圧荷重が、前記入力部への入力を受け付ける所定の基準を満たした際に、前記入力部を押圧している押圧物に対して触感を呈示するように前記振動部を１つの駆動信号で駆動して前記入力部を振動させ、前記入力部への入力を受け付けた後、前記荷重検出部により検出される押圧荷重が前記基準を満たした際に、前記押圧物に対して前記触感とは異なる触感を呈示するように前記振動部を前記１つの駆動信号とは異なる１つの駆動信号で駆動して前記入力部を振動させることにより、前記入力部を押圧している押圧物に対してボタンが押し下がった触感およびリリースした触感を呈示する制御部と、
　を備えることを特徴とする入力装置。」
という発明（以下、「補正後の発明」という。）に変更することを含むものである。
　
２．新規事項の有無、補正の目的要件について
　上記補正は、願書に最初に添付した明細書又は図面に記載した事項の範囲内において、補正前の特許請求の範囲の請求項２に記載された「１つの駆動信号で振動させ、」及び「前記１つの駆動信号とは異なる１つの駆動信号で振動させる」を、それぞれ、「１つの駆動信号で駆動して前記入力部を振動させ、」及び「１つの駆動信号で駆動して前記入力部を振動させる」とするとともに、振動させることによるその作用として、「前記入力部押圧している押圧物に対してボタンが押下がった触感およびリリースした触感を呈示する」と「制御部」を限定して特許請求の範囲を減縮するものである。
　
３．独立特許要件について
　そこで，補正後の発明が特許出願の際独立して特許を受けることができるものであるか（特許法１７条の２第６項において準用する同法１２６条５項の規定に適合するか）について以下に検討する。
　
（１）補正後の発明
　上記「１．補正後の本願発明」の項で認定したとおりである。
　
（２）引用発明
　原査定の拒絶理由に引用された特開２００５−３３２０６３号公報（平成１７年１２月２日出願公開、以下、「引用例」という。）には図面とともに以下の事項が記載されている。
　
　ａ．
  「【００５０】
  次に、触覚入力機能付きの携帯電話機１００の内部構成例及び感触フィードバック入力方法について説明をする。図６は、触覚入力機能付き携帯電話機１００の内部構成例を示すブロック図である。
  図６に示す携帯電話機１００は、下部筐体１０の回路基板１７に各機能のブロックを実装して構成される。なお、図１〜図５に示した各部及び手段と対応する部分は、同一符号で示している。
携帯電話機１００は、制御手段１５、操作パネル１８、受信部２１、送信部２２、アンテナ共用器２３、入力検出手段４５、アクチュエータ２５ａ〜２５ｄ、表示手段２９、電源ユニット３３、カメラ３４及び記憶手段３５を有している
【００５１】
  図６に示す入力検出手段４５は、図２では静電容量方式の入力デバイスを説明したが、カーソリングと選択の機能を区別できるものであれば何でも良く、例えば、抵抗膜方式、表面波弾性方式（ＳＡＷ）、光方式、複数段方式タクトスイッチ等の入力デバイスであっても良く、好ましくは位置情報と力情報を制御手段１５に与えられる構成の入力デバイスであれば良い。上述の
入力検出手段４５は操作者３０の指３０ａを介して少なくとも位置検出信号Ｓ１および入力量（押圧力；加圧力Ｆ）となる入力検出信号Ｓ２が入力される
【００５２】
  
制御手段１５は、Ａ／Ｄドライバ３１、ＣＰＵ３２、画像処理部２６及びアクチュエータ駆動回路３７を有している
【００５３】
  Ａ／Ｄドライバ３１にはＣＰＵ３２が接続される。ＣＰＵ３２はシステムプログラムに基づいて当該電話機全体を制御するようになされる。記憶手段３５には当該電話器全体を制御するためのシステムプログラムデータが格納される。図示しないＲＡＭはワークメモリとして使用される。ＣＰＵ３２は電源オンと共に、記憶手段３５からシステムプログラムデータを読み出してＲＡＭに展開し、当該システムを立ち上げて携帯電話機全体を制御するようになされる。例えば、ＣＰＵ３２は、Ａ／Ｄドライバ３１からの入力データＤ１〜Ｄ３を受けて所定の指令データＤを電源ユニット３３や、カメラ３４、記憶手段３５、アクチュエータ駆動部３７、映像＆音声処理部４４等のデバイスに供給したり、受信部２１からの受信データを取り込んだり、送信部２へ送信データを転送するように制御する。
【００５４】
  この例で、ＣＰＵ３２は、入力検出手段４５から得られる入力検出情報Ｄ２と予め設定された押下判定閾値Ｆthとを比較し、当該比較結果に基づいてアクチュエータ２５ａ〜２５ｄ等を振動制御するようにアクチュエータ駆動部３７を制御する。例えば、入力検出手段４５の押下位置における入力検出面から伝播される触覚をＡ及びＢとすると、触覚Ａは、その押下位置における操作者の指３０ａの加圧力Ｆに応じた入力検出面を低周波数かつ小振幅の振動パターンから、高周波数かつ大振幅の振動パターンに変化させることによって得られる。また、触覚Ｂは、その押下位置における操作者の指３０ａの加圧力Ｆに応じた入力検出面を高周波数かつ大振幅の振動パターンから、低周波数かつ小振幅の振動パターンに変化させることよって得られる。
【００５５】
  
ＣＰＵ３２は、入力検出手段４５が押下判定閾値Ｆthを越える入力検出情報Ｄ２を検出したとき、触覚Ａを起動し、その後、押下判定閾値Ｆthを下回る入力検出情報Ｄ２を検出したとき、触覚Ｂを起動するようにアクチュエータ駆動回路３７を制御する
【００５６】
  ＣＰＵ３２には、アクチュエータ駆動部３７が接続され、ＣＰＵ３２からの制御情報Ｄｃに基づいて振動制御信号Ｓａ〜Ｓｄを発生する。振動制御信号Ｓａ〜Ｓｄは、正弦波形からなる出力波形を有している。
アクチュエータ駆動部３７には複数のアクチュエータ２５ａ、２５ｂ、２５ｃ、２５ｄが接続され、各々の振動制御信号Ｓａ〜Ｓｄに基づいて振動する
【００５７】
  この例で、アクチュエータ駆動部３７は、各アプリケーションに対応する押下判定閾値Ｆthを記憶する。例えば、押下判定閾値Ｆthはトリガーパラメータとしてアクチュエータ駆動回路３７に設けられたＲＯＭ等に予め格納される。アクチュエータ駆動回路３７は、ＣＰＵ３２の制御を受けて、入力検出情報Ｄ２を入力し、予め設定された押下判定閾値Ｆthと、入力検出情報Ｄ２から得られる加圧力Ｆとを比較し、Ｆth＞Ｆの判定処理や、Ｆth≦Ｆ等の判定処理を実行する。
【００５８】
  この例で、
押下判定閾値Ｆth＝１００［ｇｆ］を設定すると、クラシックスイッチの触覚を得るための振動パターンに基づいて入力検出面を振動するようになされる。また、押下判定閾値Ｆth＝２０［ｇｆ］を設定すると、サイバースイッチの触覚を得るための振動パターンに基づいて入力検出面を振動する
」（【００５０】から【００５８】の記載。下線は当審で付与、以下同様。）
　
　ｂ．
  「【００６５】
  図７Ａ及びＢは、
触覚Ａ及びＢに係る振動パターン例を示す波形図
ボタンアイコン２９ａ等において、それを押し込む時は触覚Ａを与え、それを離す時は触覚Ｂを与える場合
【００６６】
  図７Ａに示す
第１の振動パターンＰａは触覚Ａを与える波形で
第１段階ｉで約０．１秒間、周波数ｆｘ＝５０Ｈｚ、振幅Ａｘ＝５μｍ、回数Ｎｘ＝２回の振動パターンで振動
第２段階iiでは、約０．１秒間、［ｆｘ  Ａｘ  Ｎｘ］＝［１００  １０  ２］の振動パターンで振動
【００６７】
  図７Ｂに示す
第２の振動パターンＰｂは触覚Ｂを与える波形で
１段階ｉで約０．１秒間、［ｆｘ  Ａｘ  Ｎｘ］＝［８０  ８  ２］で振動し、同様にして、第２段階iiでは、約０．１秒間、［ｆｘ  Ａｘ  Ｎｘ］＝［４０  ８  ２］の振動パターンで振動
サイバースイッチ等の触覚を得ることができる
【００６８】
  図８Ａ及びＢは、加圧力Ｆと振動パターンとの関係例（その１）を示す図である。図８Ａにおいて、縦軸は加圧力Ｆであり、入力検出信号Ｓ２（二値化後は入力検出情報Ｄ２）から得られる。図８Ｂにおいて、縦軸は振動制御信号Ｓａ等の電圧（振幅）である。図８Ａ及びＢにおいて、横軸はいずれも時間ｔである。
【００６９】
  一般に、ボタンスイッチ操作等において、入力モーションピークが存在する。設計通りの押下速度（操作入力速度）である場合、その加圧力Ｆは３０［ｇｆ］乃至２４０［ｇｆ］程度であることが知られている。図８Ａに示す加圧力分布波形Ｉは、入力装置設計時に基準とした、Ｚ方向への押下速度による加圧力Ｆを反映したものである。
【００７０】
  この例で入力検出手段４５から得られる入力検出信号Ｓ２に対して予め押下判定閾値Ｆthが設定され、ＣＰＵ３２は、入力検出信号Ｓ２の立ち上がり波形が押下判定閾値Ｆthを横切る時刻ｔ１１に第１の振動パターンＰａを発生し、入力検出信号Ｓ２の立ち下がり波形が押下判定閾値Ｆthを横切る時刻ｔ２１に第２の振動パターンＰｂを発生するようにアクチュエータ振動回路３７を制御する。
【００７１】
  このようにすると、入力検出手段４５が入力装置設計時に基準とした加圧力Ｆを検出し、ＣＰＵ３２等が押下判定閾値Ｆth＜加圧力Ｆを検出したとき、触覚Ａを起動することができ、押下判定閾値Ｆth＞加圧力Ｆを検出したとき、触覚Ｂを起動することができる。なお、振動パターンＰａと振動パターンＰｂとの間には、無振動の空白期間Ｔｘ＝Ｔ１が設けられる。この空白期間Ｔｘは、Ｚ方向への押圧速度に応じて可変するようになされる。
【００７２】
  図９Ａ及びＢは、加圧力Ｆと振動パターンとの関係例（その２）を示す図である。図９Ａにおいて、縦軸は加圧力Ｆであり、入力検出信号Ｓ２（二値化後は入力検出情報Ｄ２）から得られる。図９Ｂにおいて、縦軸は振動制御信号Ｓａ等の電圧（振幅）である。図９Ａ及びＢにおいて、横軸はいずれも時間ｔである。
【００７３】
  図９Ａに示す加圧力分布波形IIは、図８Ａに示した基準押下速度よりも早くボタンアイコン等を押下した場合の加圧力Ｆを反映したものである。この例でも、図８Ａと同様にして、入力検出手段４５から得られる入力検出信号Ｓ２に対して予め押下判定閾値Ｆthが設定され、ＣＰＵ３２は、入力検出信号Ｓ２の立ち上がり波形が押下判定閾値Ｆthを横切る時刻ｔ１２に振動パターンＰａを発生し、入力検出信号Ｓ２の立ち下がり波形が押下判定閾値Ｆthを横切る時刻ｔ２２に振動パターンＰｂを発生するようにアクチュエータ振動回路３７を制御する。
【００７４】
  このようにすると、入力検出手段４５が基準押下速度よりも早くボタンアイコン等が押下された場合の加圧力Ｆを検出し、ＣＰＵ３２等が押下判定閾値Ｆth＜加圧力Ｆを検出したとき、触覚Ａを起動することができる。また、ＣＰＵ３２等が押下判定閾値Ｆth＞加圧力Ｆを検出したとき、触覚Ｂを起動することができる。なお、振動パターンＰａと振動パターンＰｂとの間には、無振動の空白期間Ｔｘ＝Ｔ２（Ｔ２＜Ｔ１）が設けられる。
【００７５】
  このように、設計時の押下速度よりも早い押下速度である場合であっても、
前半で触覚Ａが伝わり、クリック感のある荷重に到達させることができ、その後半で、触覚Ｂが伝わり、クリック感のあるストロークに到達させることができる。この例で押下判定閾値Ｆth＝１００［ｇｆ］を設定すると、クラシックスイッチの触覚を得ることができる。
　
　ｃ．
　「【００９３】
  従って、操作者の指３０ａ等による押下操作に対応した振動パターン（振幅と周波数と振動回数）により複数種類の振動を発生させることができる。これにより、表示手段２９上の入力検出面における操作者の指３０ａの押下操作に対応した、アナログスイッチや、サイバースイッチ等の触覚を取得できるようになる。」（【００９３】の記載。）
　　
　したがって、上記ａ〜ｃの記載から引用例には以下の発明（以下、「引用発明」という。）が開示されている。
　
　〈引用発明〉
　「制御手段１５、操作パネル１８、受信部２１、送信部２２、アンテナ共用器２３、入力検出手段４５、アクチュエータ２５ａ〜２５ｄ、表示手段２９、電源ユニット３３、カメラ３４及び記憶手段３５を有する携帯電話機１００であって、
入力検出手段４５は操作者３０の指３０ａを介して少なくとも位置検出信号Ｓ１および入力量（押圧力；加圧力Ｆ）となる入力検出信号Ｓ２が入力され制御手段１５は、Ａ／Ｄドライバ３１、ＣＰＵ３２、画像処理部２６及びアクチュエータ駆動回路３７を有し、前記ＣＰＵ３２は、入力検出手段４５が押下判定閾値Ｆthを越える入力検出情報Ｄ２を検出したとき、触覚Ａを起動し、その後、押下判定閾値Ｆthを下回る入力検出情報Ｄ２を検出したとき、触覚Ｂを起動するようにアクチュエータ駆動回路３７を制御し、アクチュエータ駆動部３７には複数のアクチュエータ２５ａ、２５ｂ、２５ｃ、２５ｄが接続され、各々の振動制御信号Ｓａ〜Ｓｄに基づいて振動するようになされたもので、
前記押下判定閾値Ｆth＝１００［ｇｆ］を設定すると、クラシックスイッチの触覚を得るための振動パターンに基づいて入力検出面を振動するようになされ、また、押下判定閾値Ｆth＝２０［ｇｆ］を設定すると、サイバースイッチの触覚を得るための振動パターンに基づいて入力検出面を振動するようになされるもので、
触覚Ａを与える波形である第１の振動パターンＰａは、
第１段階ｉで約０．１秒間、周波数ｆｘ＝５０Ｈｚ、振幅Ａｘ＝５μｍ、回数Ｎｘ＝２回の振動パターンで振動し、第２段階iiでは、約０．１秒間、［ｆｘ  Ａｘ  Ｎｘ］＝［１００  １０  ２］の振動パターンで振動し、
触覚Ｂを与える波形第２の振動パターンＰｂは、
第１段階ｉで約０．１秒間、［ｆｘ  Ａｘ  Ｎｘ］＝［８０  ８  ２］で振動し、同様にして、第２段階iiでは、約０．１秒間、［ｆｘ  Ａｘ  Ｎｘ］＝［４０  ８  ２］の振動パターンで振動し、
このような振動パターンに基づいて入力検出面を振動すると、サイバースイッチ等の触覚を得ることができる」
　
（３）対比・判断
　補正後の発明と引用発明とを対比する。
　
　（ア）引用発明の「入力検出面」は、補正後の発明の「入力部」に相当し、引用発明の「入力検出手段」は、入力量（押圧力：補正後の発明の押圧加重に相当）を検出しているので、補正後の発明の「荷重検出部」に相当し、そして、引用発明の「複数のアクチュエータ」は、入力検出面を振動させることから、補正後の発明の「振動部」に相当する。また、引用発明の「携帯電話機」は、入力部を備えることから、補正後の発明の「入力装置」に相当する。
　
　（イ）引用発明の「制御手段」は、「入力検出手段４５が押下判定閾値Ｆthを越える入力検出情報Ｄ２を検出したとき、触覚Ａを起動し、その後、押下判定閾値Ｆthを下回る入力検出情報Ｄ２を検出したとき、触覚Ｂを起動する」ことから、補正後の発明と、「荷重検出部により検出される押圧荷重が、前記入力部への入力を受け付ける所定の基準を満たした際に、前記入力部を押圧している押圧物に対して触感を呈示するように前記振動部を駆動信号で駆動して前記入力部を振動させ、前記入力部への入力を受け付けた後、前記荷重検出部により検出される押圧荷重が前記基準を満たした際に、前記押圧物に対して前記触感とは異なる触感を呈示するように前記振動部を前記駆動信号とは異なる駆動信号で駆動して前記入力部を振動させる制御部」である点で共通している。
　
　（ウ）また、引用発明は、「入力検出手段４５が押下判定閾値Ｆthを越える入力検出情報Ｄ２を検出したとき、触覚Ａを起動し、その後、押下判定閾値Ｆthを下回る入力検出情報Ｄ２を検出したとき、触覚Ｂを起動する」ことで、「前半で触覚Ａが伝わり、クリック感のある荷重に到達させることができ、その後半で、触覚Ｂが伝わり、クリック感のあるストロークに到達させることができ」るので、触覚Ａは荷重が増加し、基準を超えた場合に起動され、その後、荷重が減少し基準を下回った場合に触覚Ｂが起動されるものであるので、補正後の発明の「入力部を押圧している押圧物に対してボタンが押し下がった触感およびリリースした触感を呈示」している。
　
　　以上のことから、補正後の発明と引用発明は、以下の一致点と相違点とを有する。
　
〈一致点〉
「押圧による入力を受け付ける入力部と、
　前記入力部に対する押圧荷重を検出する荷重検出部と、
　前記入力部を振動させる振動部と、
　前記荷重検出部により検出される押圧荷重が、前記入力部への入力を受け付ける所定の基準を満たした際に、前記入力部を押圧している押圧物に対して触感を呈示するように前記振動部を駆動信号で駆動して前記入力部を振動させ、前記入力部への入力を受け付けた後、前記荷重検出部により検出される押圧荷重が前記基準を満たした際に、前記押圧物に対して前記触感とは異なる触感を呈示するように前記振動部を前記駆動信号とは異なる駆動信号で駆動して前記入力部を振動させることにより、前記入力部を押圧している押圧物に対してボタンが押し下がった触感およびリリースした触感を呈示する制御部と、
　を備えることを特徴とする入力装置。」
　
〈相違点〉
　入力部を振動させる駆動信号が、補正後の発明では「１つの駆動信号」であるのに対し、引用発明ではそうではない点。
　
　
　相違点につき検討する。
　
〈相違点〉
　補正後の発明の「１つの駆動信号」について、その意味するところは、必ずしも明確ではないが、本願の出願当初の明細書及び図面の記載には、「駆動信号」に関して、以下の記載がある。
　
　（あ）「【００２８】
  本発明に係る入力装置は、以上の原理に基づいて、プレート状の押圧式の入力部を押圧する場合に、押圧荷重が入力部への入力を受け付ける所定の基準を満たすまでは圧覚を刺激し、所定の基準を満たした際に、
入力部を所定の駆動信号、すなわち一定周波数、駆動時間である周期（波長）、波形、振幅、で振動
【００２９】
  また、ヒトが押しボタンスイッチを操作すると、押下時のみならず、リリース時においても、図４に示したように、指に押しボタンスイッチからの触感刺激が与えられる。そこで、本発明に係る入力装置においては、リリース時にも操作者にクリック触感（以下、リリース時のクリック触感を、適宜、リリース触感とも言う）を呈示する。これにより、操作者に、押しボタンスイッチを押下した場合と同様のリアルなクリック触感を呈示するものである。」（【００２８】〜【００２９】の記載）
　
　（い）第１実施の形態として、
「ステップＳ８２で振動部１４を駆動する所定の駆動信号、すなわち
触覚を刺激する一定周波数、周期（波長）、波形、振幅は、呈示するクリック触感に応じて適宜設定
例えば、１７０Ｈｚの一定周波数のＳｉｎ波からなる１周期分の駆動信号
　
　（う）「ステップＳ８４のリリース時において、振動部１４を駆動する駆動信号は、ステップＳ８２の押圧時における駆動信号と同じとすることもできるし、異ならせることもできる。例えば、タッチパネル１２への入力を受け付ける
押圧時における駆動信号の周波数は１７０Ｈｚ
リリース時における駆動信号の周波数は、例えば図４に示したように、１２５Ｈｚ
【００４０】
  このように、本実施の形態に係る入力装置は、荷重検出部１３で検出されるタッチパネル１２に加わる荷重が、タッチパネル１２への入力を受け付ける所定の基準を満たすまでは圧覚を刺激するようにし、所定の基準を満たすと、振動部１４を
所定の駆動信号
【００４１】
  また、押圧入力を受け付けた後のリリース時に、所定の基準を満たした際に、押圧時と同様に、振動部１４を
所定の駆動信号
　
　（え）第２の実施の形態の官能評価結果として、
「【００５４】
  図１２は、周波数を変化させた場合の評価結果を示す。この官能評価においては、振動部１４を駆動する駆動信号の周期（波長）すなわち駆動時間を１周期、波形をＳｉｎ波として、周波数を５０Ｈｚ〜２５０Ｈｚの範囲で変化させた。なお、駆動信号の振幅は、タッチパネル１２において、所定の基準の荷重が加わった状態で、１５μｍの振動振幅が得られる信号振幅とした。その結果、図１２から明らかなように、
周波数は、１７０Ｈｚの場合が最も評価が高いが、１４０Ｈｚ以上
【００５５】
  図１３は、駆動信号の振幅を変化させた場合の評価結果を示す。この官能評価においては、駆動部１４を駆動する駆動信号の周波数を１７０Ｈｚ、周期を１周期、波形をＳｉｎ波とした。また、信号振幅は、タッチパネル１２が押圧されていない無負荷状態で、タッチパネル１２が１μｍ〜３５μｍ内の所定の振幅で振動するように変化させた。そして、各無負荷時の振動振幅条件で、タッチパネル１２に１．５Ｎの荷重が加わった際に駆動部１４を駆動して、各評価項目を評価した。なお、図１３の横軸には、タッチパネル１２の無負荷時の振動振幅に対応して、１．５Ｎの荷重が加わった状態での振動振幅を示す。その結果、図１３から明らかなように、１．５Ｎの荷重が加わった状態では、振動振幅が１５μｍ以上であれば、ヒトはクリック触感を十分に感じることが確認できた。つまり、タッチパネル１２に１．５Ｎの押圧荷重が加わった状態で、
１７０Ｈｚの一定周波数で、タッチパネル１２を１５μｍ以上の振動振幅で、わずかに１周期分振動させる
【００５６】
  図１４は、駆動時間である周期（波長）を変化させた場合の評価結果を示す。この官能評価においては、振動部１４を駆動する駆動信号の波形をＳｉｎ波、信号振幅をタッチパネル１２における所定の基準の荷重が加わった状態での振動振幅が約１５μｍとなる振幅、周波数を１７０Ｈｚとして、周期を１／４周期〜３周期の範囲で変化させた。なお、１／４周期および１／２周期では、他の周期とタッチパネル１２における振動変位がほぼ等しくなる、すなわち約１５μｍの振動振幅が得られる信号振幅とした。その結果、図１４から明らかなように、
周期（波長）が１周期の場合に最も高い評価が得られた。また、５／４周期や、１周期未満でも、概ね良好な結果
【００５７】
  図１５は、駆動信号の波形を変化させた場合の評価結果を示す。この官能評価においては、振動部１４を駆動する駆動信号の波形をＳｉｎ波、矩形波、三角波とした場合のそれぞれについて評価した。なお、各信号の周波数は１７０Ｈｚ、信号振幅はタッチパネル１２における所定の基準の荷重が加わった状態での振動振幅が約１５μｍとなる振幅、周期は１周期とした。その結果、図１５から明らかなように、
Ｓｉｎ波の場合に最も高い評価
【００５８】
  ここで、Ｓｉｎ波の駆動信号（駆動部１４の入力電圧）は、図１６に一点鎖線で示すように、位相０度から電圧が増加して減少する１周期に限らず、位相１８０度から電圧が減少して増加する等、任意の位相からの１周期の電圧とすることができる。なお、図１６には、一点鎖線で示した入力電圧で駆動部１４を駆動した際の、無負荷時におけるタッチパネル１２の振動振幅波形（破線）と、１．５Ｎでの押圧時におけるタッチパネル１２の振動振幅波形（実線）とを合わせて示す。
【００５９】
  以上の評価結果例から、図５および図６に示した構成の入力装置を携帯端末に適用する場合は、タッチパネル１２の押圧時に所定の基準を満たす荷重が加わった時点で、
例えば、周波数１４０Ｈｚ以上、好適には１７０Ｈｚの一定周波数で、５／４周期以下、好適には１周期のＳｉｎ波の駆動信号
【００６０】
  次に、本発明者らは、上記のように振動部１４を押圧時のみ駆動する場合と、押圧時およびリリース時の双方で駆動する場合とのクリック触感の官能評価を行った。以下、その結果について説明する。
【００６１】
  図１７は、この場合の評価結果例を示す図である。図１７において、左側は、振動部１４を押圧時のみ駆動する場合、すなわち「リリース触感なし」の場合の評価結果を示し、右側は、押圧時およびリリース時の双方で駆動する場合、すなわち「リリース触感あり」の場合の官能評価結果を示す。被験者は、図２および図３の官能評価を行った者と同じ５人である。評価項目は、図１２〜図１５における３項目に、「フィードバックとしてよい（認識し易い）」の項目を加えた４項目である。各項目の評価点は、７点を満点として、５人の平均点を示した。なお、「フィードバックとしてよい」の評価項目では、「悪い」が１点、「良い」が７点である。また、押圧時およびリリース時とも、振動部１４を駆動する所定の基準の荷重を同じにするとともに、駆動信号も同じとする。ここでは、所定の基準の荷重は、１．５Ｎとした。また、
駆動信号は、周波数１７０ＨｚのＳｉｎ波を１周期分
【００６２】
  図１７の評価結果から明らかなように、リリース時にもタッチパネル１２を振動させてリリース触感を呈示した方が、携帯端末のクリック触感により類似し、かつ、フィードバック（認識）も良好であることが確認できた。なお、図１０および図１１に示した構成の入力装置においても、同様の結果が得られることが確認できた。」（【００５４】〜【００６２】の記載）
　
　上記（あ）〜（え）の記載等を総合して検討すると、補正後の発明の「１つの駆動信号」とは、一定周波数、周期（波長）、波形、振幅を有する所定の駆動信号（例えば、周波数１７０ＨｚのＳｉｎ波で１周期分で、約１５ｕμｍの振動を与える駆動信号）を示しているものと解釈できる。
　それに対し、引用発明においては、駆動信号は２つの周波数の信号を組み合わせたものであり、例えば、入力部への入力を受け付ける所定の基準を満たした際に、入力部を押圧している押圧物に対して触感を呈示するように振動部を振動させる駆動信号は、
「触覚Ａを与える波形である第１の振動パターンＰａは、第１段階ｉで約０．１秒間、周波数ｆｘ＝５０Ｈｚ、振幅Ａｘ＝５μｍ、回数Ｎｘ＝２回の振動パターンで振動し、第２段階iiでは、約０．１秒間、［ｆｘ  Ａｘ  Ｎｘ］＝［１００  １０  ２］の振動パターンで振動」と記載されているように、低周波数かつ小振幅の駆動信号から、高周波かつ大振幅の駆動信号へ変化するものである。
　
　しかしながら、引用例には、振動パターン（振幅と周波数と振動回数）により、色々な触覚（アナログスイッチやサイバースイッチ等）を呈示できることが記載（上記（２）引用発明のｃ．参照。）されており、
　また、クリック感を呈示するために１つの周波数の信号のみで、入力面を振動させることも、特開２００５−１４９１９７号公報（特に図６参照）、特開２００５−２５８６６６号公報（特に図７，９参照）等に記載の様に、周知の技術である。
　してみると、所定の触覚を得るために、振動部を動作させる駆動信号をどのような信号にするかは、当業者が適宜に選択することができる事項であり、そして、クリック感を呈示するために、一定の周期での駆動信号を用いることも周知技術であることを考慮すると、引用発明において、駆動信号として一定周波数、周期（波長）、波形、振幅を有する所定の駆動信号を採用し、相違点に係る構成とすることは当業者が容易になしえたものである。
　
　また、補正後の発明の構成を採用することによって奏する作用効果も、引用発明及び周知技術の奏する作用効果からみて格別のものであるともいえない。
　　
　以上のとおり、補正後の発明は引用発明及び周知技術に基づいて当業者が容易に発明をすることができたものであるから、特許法第２９条第２項の規定により、特許出願の際独立して特許を受けることができないものである。
　
４．結語
　したがって、本件補正は、平成１８年法律第５５号改正附則第３条第１項によりなお従前の例によるとされる同法による改正前の特許法第１７条の２第６項において準用する同法第１２６条第５項の規定に違反するので、同法第１５９条第１項において読み替えて準用する同法第５３条第１項の規定により却下すべきものである。
　
第３．本願発明について
１．本願発明
　平成２３年１月２６日付けの手続補正（「本件補正」）は上記のとおり却下されたので、本願の請求項２に係る発明（以下、「本願発明」という。）は、平成２２年７月１２日付けの手続補正書により補正された明細書及び図面の記載からみて、その特許請求の範囲の請求項２に記載された以下のとおりのものと認める。
　
「押圧による入力を受け付ける入力部と、
　前記入力部に対する押圧荷重を検出する荷重検出部と、
　前記入力部を振動させる振動部と、
　前記荷重検出部により検出される押圧荷重が、前記入力部への入力を受け付ける所定の基準を満たした際に、前記入力部を押圧している押圧物に対して触感を呈示するように前記振動部を１つの駆動信号で振動させ、前記入力部への入力を受け付けた後、前記荷重検出部により検出される押圧荷重が前記基準を満たした際に、前記押圧物に対して前記触感とは異なる触感を呈示するように前記振動部を前記１つの駆動信号とは異なる１つの駆動信号で振動させる制御部と、
　を備えることを特徴とする入力装置。」
　
２．引用発明及び周知技術
　引用発明は、上記「第２．補正却下の決定」の項中の「３．独立特許要件について」の項中の「（２）引用発明」の項に示したとおりである。
　
３．対比・判断
　そこで、本願発明と引用発明とを対比するに、本願発明は上記補正後の発明から本件補正に係る限定を省いたものである。
　そうすると、本願発明の構成に本件補正に係る限定を付加した補正後の発明が、上記「第２．補正却下の決定」の項中の「３．独立特許要件について」の項で検討したとおり、引用発明及び周知技術に基づいて当業者が容易に発明できた発明であるから、本願発明も同様の理由により、当業者が容易に発明できた発明である。
　
４．むすび
　以上のとおり、本願発明は、引用発明及び周知技術に基づいて当業者が容易に発明をすることができた発明であるから、特許法第２９条第２項の規定により特許を受けることができない。
　
　よって、結論のとおり審決する。